(57)【要約】      （修正有）【課題】伸縮性部材と握る部材の他に、数段階に長さを調節する調節部材と撓みの少ない強度を持つロッド部材をも兼ね備えた杖を提供する。【解決手段】上端の把持部材２と、把持部材２の中間に設けたコネクター部材４と、把持部材２に直交しコネクター部材４に連結するロッド部材３と、ロッド部材３の先端にスプリングを内蔵した伸縮性部材７とからなり、ロッド部材３は長さを数段階に調節しうる調節部を有し、把持部材２は両手で確実に握りうる握り部２ｂを有する杖１を構成する。【選択図】図１
0003158349.tif 000002
【実用新案登録請求の範囲】
【請求項１】
上端の把持部材と、該把持部材の中間に設けたコネクター部材と、前記把持部材に直交し該コネクター部材に連結するロッド部材と、該ロッド部材先端に設けたスプリングを内蔵した伸縮部材とからなり、前記ロッド部材は長さを数段階に調節しうる調節部を有し、前記把持部材は両手で確実に握りうる握り部を有することを特徴とする杖。  
【請求項２】
前記ロッド部材が、数節に折畳みうるようにした請求項１記載の杖。
【請求項３】
前記把持部材は、ＦＲＰ（繊維強化プラスティック）又はアルミニウムからなり、両手で確実に握りうる太さで、滑り止め用のリング状溝を付した握り部を有している請求項１又は請求項２記載の杖。
【請求項４】
前記把持部材は、ＦＲＰ（繊維強化プラスティック）又はアルミニウムからなる棒状又は円筒状部材に樹脂又はゴム製の円筒状グリップを被覆挿入した請求項１ないし請求項３のいずれかに記載の杖。
【請求項５】
前記コネクター部材は樹脂又はアルミニウムからなり、先端に把持部材を挿通する貫通孔を備えた円筒状部材からなり、前記貫通孔に左右から把持部材を挿通してコネクター部材と把持部材を結合する請求項１ないし請求項４のいずれかに記載の杖。
【請求項６】
前記把持部材とコネクター部材とをＦＲＰ（繊維強化プラスティック）又はアルミニウムで一体成形して把持部材に滑り止めのグリップラバーを被覆した請求項１ないし請求項５のいずれかに記載の杖。
【請求項７】
前記ロッド部材は、ＦＲＰ（繊維強化プラスティック）又はアルミニウムからなり、全体に体重を掛けても撓みの少ない強度を備え、コネクター部材に連結するロッド外管と該外管に嵌合するロッド内管とからなり、前記ロッド外管に前記ロッド内管に設けたペッグに嵌合する複数の連結孔を設け、ロッド部材の長さを複数段階に調節しうるようにした請求項１ないし請求項６のいずれかに記載の杖。
【請求項８】
前記伸縮部材はロッド部材の先端に設けスリットを設けた軸筒とスプリング部とからなる請求項１ないし請求項７のいずれかに記載の杖。
【請求項９】
前記伸縮部材のスプリング部は外側に底カバー部を設け、該底カバー部には底板が埋設され、該底板の中心には軸が立設され、前記底板の円周には円筒が立設されており、前記軸の周りで前記円筒の内側にスプリングが巻回されている請求項８に記載の杖。
【請求項１０】
前記伸縮部材のスプリング部は円筒の一端には摺動板が設けられているとともに軸筒に取り付けられ、前記摺動板には軸が挿通する中心孔が設けられており、スプリングの一端は底板に取り付けられ、他端は前記摺動板に圧設されている請求項８又は請求項９に記載の杖。
【考案の詳細な説明】
【技術分野】
【０００１】
本考案は、杖に関するものであり、更に詳しくは、起立運動補助用の杖に係るものである。
【背景技術】
【０００２】
足腰が弱り、自力で起立することが困難になった人は多いが、この人達が自力で起立するための補助器具は少ない。
【０００３】
例えば杖の場合、椅子に腰掛けた状態で、杖の先を体の中心から前方３０ｃｍくらい離れてセットし、胸の高さで力の入りやすい位置で、先ず両手で握り部を握れるような杖であることが好ましい。次に前方に体重を移動し、杖に体重を乗せた後、立ち上がる運動機能を補助しうる丈夫な機構のものであることが望まれる。そのためには、杖にスプリングを取り付け、その弾力によって起立を補助し、杖全体に体重を掛けても撓みの少ない強度を持つロッドであることが望まれる。
【０００４】
これに対し、スプリングによる伸縮機能を付与した杖は、数多くの先行技術が提案されている（例えば、特許文献１、特許文献２、特許文献３）。
【特許文献１】特許第４００２２８５号公報
【特許文献２】特開２００９−１８３４３６公報
【特許文献３】特開２００３−９３１２０号公報
【０００５】
また、スプリングとともに、両手で確実に握れる握り部位を有する杖の先行技術も提案されている（例えば、特許文献４）。
【特許文献４】特開２００１−２３８７１１号公報
【０００６】
しかし、伸縮部位と握る部位の他に、数段階に長さを調節しうる部位や撓みの少ないロッドを兼ね備えた杖は、従来見当らなかった。
【考案の開示】
【考案が解決しようとする課題】
【０００７】
上記の事情に鑑み、本考案は、伸縮性部位と握る部位の他に、数段階に長さを調節する調節部位と撓みの少ない強度を持つロッド部位をも兼ね備えた杖を提供することを課題とする。
【課題を解決するための手段】
【０００８】
本考案は上記目的を達成するために、上端の把持部材と、該把持部材の中間に設けたコネクター部材と、前記把持部材に直交し該コネクター部材に連結するロッド部材と、該ロッド部材先端に設けたスプリングを内蔵した伸縮性部材とからなり、前記ロッド部材は長さを数段階に調節しうる調節部を有し、前記把持部材は両手で確実に握りうる握り部を有する杖を構成するものである。  
【考案の効果】
【０００９】
本考案の杖は、足腰が弱り、自力で起立することが困難になった人のために、自力で起立しようとする運動を補助することができる。
【００１０】
本考案の杖は、両手で安全確実に握ることのできる握り部を有している。
【００１１】
本考案の杖は、身長に応じて、杖の長さを調節しうる調節部位を有している。
【００１２】
本考案の杖は、杖に体重を掛けても、撓みの少ない強度を持ったロッド部位を有している。
【００１３】
本考案の杖は、自力で起立するための、スプリングによる伸縮性部材を有している。
【考案を実施するための最良の形態】
【００１４】
次に本考案の杖につき実施例をあげて詳しく説明する。
【実施例】
【００１５】
図１は、本考案の一実施例を示す杖の中間部を省略した杖の全体正面図であり、図２は本考案の一実施例を示す把持部材と、把持部材の中間にあってロッドと連結するコネクターを示す斜視図であり、図３は  本考案の一実施例を示す杖のロッド部材のロッド外管とロッド内管との分解正面図であり、図４は本考案の一実施例を示すロッド内管に嵌合しスプリングを内蔵した底カバー部との部分を示す断面図であり、図５は同杖を折り畳んだ状態を示す正面図である。
【００１６】
本考案の杖１は、上端の把持部材２と、把持部材２の中間にあって把持部材２に連結するコネクター部材４と、コネクター部材４に連結するロッド部材３と、ロッド部材３の先端の底カバー部５を備えた伸縮性部材７とからなっている。
【００１７】
上端の把持部材２は、ＦＲＰ（繊維強化プラスティック）又はアルミニウムからなり、両手で確実に握りうる太さで、滑り止め用のリング状溝２ａを付した握り部２ｂを備えている。
また、図２に示すように、把持部材２は、ＦＲＰ（繊維強化プラスティック）又はアルミニウムからなる棒状又は円筒状部材に樹脂又はゴム製の円筒状グリップ２ｃを被覆挿入したものであってもよい。
【００１８】
コネクター部材４は樹脂又はアルミニウムからなり、先端に把持部材２を挿通する貫通孔４ａを備えた円筒状部材からなっている。そして、貫通孔４ａに左右から把持部材２を挿通してコネクター４と把持部材２を結合する。なお、把持部材とコネクター部材とをＦＲＰ（繊維強化プラスティック）又はアルミニウムで一体成形して把持部材に滑り止めのグリップラバーを被覆してもよい。
【００１９】
図３、図４に示すように、ロッド部材３は、ＦＲＰ（繊維強化プラスティック）又はアルミニウムからなり、全体に体重を掛けても撓みの少ない強度を備え、コネクター部材４に連結し、外管３ａと嵌合部分となる内管３ｂとからなっており、ロッド外管３ａとコネクター部材４が連結されている。
【００２０】
図３に示すように、ロッド部材３は、外管３ａに長さを数段階に調節しうる数個の連結穴８…８と外管３ａの連結穴８…８に嵌合する内管３ｂにペッグ９を設けている。なお、内管３ｂは図5に示すように、複数設け、互いに連結してもよい。
【００２１】
内管３ｂはゴムバンド３ｃで連結されている。従って、内管３ｂを外して折り畳み、連結時には、内管３ｂを外管３ａ内に嵌合する。
【００２２】
図４に示すように、ロッド部材３の先端に設けた内管３ｂには一端にスリット１０を設けた軸筒７ａとスプリング部７ｂとからなる伸縮部材７が着脱自在に挿入されている。
【００２３】
図４に示すように、伸縮部材７のスプリング部７ｂは外側に底カバー部５を設け、底カバー部５には底板７１が埋設されている。底板７１の中心には軸７２が立設され、底板７１の円周には円筒７３が立設されている。軸７２の周りで円筒７３の内側にスプリング６が巻回されている。
【００２４】
図４に示すように、円筒７３の一端には摺動板７５が円筒７３に摺動自在に設けられているとともに軸筒７ａに取り付けられている。摺動板７５には軸７２が挿通する中心孔７５ａが設けられている。スプリング６の一端は底板７１に取り付けられ、他端は摺動板７５に圧設されている。
【００２５】
本考案の杖は、自力で起立するため杖をつくと、反力によってロッド部材３の先端に設けた内管３ｂと軸筒７ａと一端の底カバー部が伸縮部材７のスプリング部７ｂを介して摺動自在に摺動し、スプリング６の反発力によって、自力で起立運動を行うのを、安定して補助をすることができる。
【００２６】
ロッド部材３の先端に設けた内管３ｂには一端にスリット１０を設けた軸筒７ａとスプリング部７ｂとからなる伸縮部材７が着脱自在に挿入されているので、スプリングの強度が異なるものに変更したり、スプリングの弾力効果を除外して使用したい場合でも、ワンタッチで簡単に対応できる。
【００２７】
図５に示すように、ロッド部材３は数節に折り畳みできるようになっており、折り畳んだ際には、締結バンド１１で固定することができる。
【産業上の利用可能性】
【００２８】
本考案の杖は、起立運動補助用に広く利用しうるようにした杖である。
【図面の簡単な説明】
【００２９】
【図１】本考案の一実施例を示す杖の中間部を省略した杖の全体正面図である。
【図２】本考案の一実施例を示す把持部材と、把持部材の中間にあってロッドと連結するコネクターを示す斜視図である。
【図３】本考案の一実施例を示す杖のロッドの調整部材の外管と内管との分解正面図である。
【図４】本考案の一実施例を示す杖のロッドの管状伸縮部材の断面図である。
【図５】同杖を折り畳んだ状態を示す平面図である。
【符号の説明】
【００３０】
１        杖
２        把持部材
２ａ      リング状溝
３        ロッド部材
３ａ      ロッドの外管
３ｂ      ロッドの内管
３ｃ      ロッド内のゴムバンド
４        コネクター部材
５        底カバー部
６        スプリング
７        伸縮部材
８        長さ調節の連結穴
９        ペッグ
１０     スリット
１１     締結バンド
【図１】
0003158349.tif 000003
【図２】
0003158349.tif 000004
【図３】
0003158349.tif 000005
【図４】
0003158349.tif 000006
【図５】
0003158349.tif 000007